(57)【要約】【課題】筐体本体の背面側から行う内部機器の保守点検作業を、後扉を開放した状態では勿論、後扉を閉止した状態でも外部から実施することができ、しかも保守用モニター装置が内部機器のレイアウト自由度を制限したり、内部機器の引出しの障害となることを防止する。【解決手段】背面に開口部４を有し、且つ内部機器３０を収容した筐体本体２と、後扉１１と、内部機器の保守点検用の保守用モニター装置２０と、を備え、後扉には保守用モニター装置をその前面操作表示部２３を後扉の内面と対面させる外向き姿勢と背面を後扉の内面と対面させる反転姿勢との間で回動自在に軸支する軸支部１２と、前面操作表示部が外向き姿勢にある時に該前面操作表示部の少なくとも一部を露出させる透明窓部１１ａ、及び開口部１１ｂと、を備えている。【選択図】図２
2012208800.tif 000002
【特許請求の範囲】
【請求項１】
少なくとも背面に開口部を有し、且つ内部機器を収容した筐体本体と、前記背面開口部を開閉する後扉と、前記内部機器の保守点検用の保守用モニター装置と、を備えた金銭取扱い装置であって、
前記後扉には、前記保守用モニター装置を、その前面操作表示部を前記後扉の内面と対面させる外向き姿勢と該保守用モニター装置の背面を該後扉の内面と対面させる反転姿勢との間で回動自在に軸支する軸支部と、前記保守用モニター装置の前面操作表示部が外向き姿勢にある時に該前面操作表示部の少なくとも一部を露出させる透明窓部、及び開口部と、を備えていることを特徴とする金銭取扱い装置。
【請求項２】
前記保守用モニター装置の操作部を操作することにより表示部に任意の前記内部機器の状態表示を行ったり、任意の前記内部機器をメンテナンスモードへ移行させる制御手段と、前記保守用モニター装置が前記外向き姿勢にあることと前記反転姿勢にあることを夫々検知する姿勢検知手段と、を備え、
前記制御手段は、前記姿勢検知手段が前記保守用モニター装置が前記外向き姿勢にあることを検知している時に実現可能な操作内容を、前記姿勢検知手段が前記反転姿勢にあることを検知している時に実現可能な操作内容と異なった内容とすることを特徴とする請求項１に記載の金銭取扱い装置。
【請求項３】
前記制御手段は、前記姿勢検知手段が前記保守用モニター装置が前記外向き姿勢にあることを検知している時に実現可能な操作内容を、前記姿勢検知手段が前記反転姿勢にあることを検知している時に実現可能な操作内容に比して制限した内容とすることを特徴とする請求項２に記載の金銭取扱い装置。
【発明の詳細な説明】
【技術分野】
【０００１】
本発明は、自動販売機、両替機、金銭払出装置、精算機等の金銭取扱い装置の改良に関し、特に筐体本体の背面側から内部機器を保守、点検する際の作業性を向上させた金銭取扱い装置に関する。
【背景技術】
【０００２】
自動券売機等の自動販売機、両替機、金銭払出装置、精算機等の金銭取扱い装置は、金属製の筐体内に機械部品、電気部品、電子部品等を収容した構成を備えている。
これらの金銭取扱い装置にあっては、筐体内部の各構成要素に対してメンテナンスを行ったり、券類、物品、金銭等を出し入れするために、筐体の前面、背面、その他の部位に開口部を設けておき、これら開口部を夫々扉によって開閉するように構成されている。
ところで、筐体の背面開口部を後扉により開閉自在としたタイプにあっては、内部機器の状態をチェックするための保守用モニター装置（操作表示装置）を、後扉を開放した際に露出される筐体内部に配置している。保守用モニター装置は、例えば内部機器類に関するメンテナンス情報の表示部（釣銭切れやエラー表示部）や、始業時に行う稼動状態確認試験の為の操作部等を含み、部外者が操作できないように常時には後扉によって隠蔽されている。
しかし、後扉を開放しない限り、内部機器の状態チェックやモニター装置の操作をすることができないため不便であった。
【０００３】
これに対して特許文献１には、後扉に透明な窓部を設けて、筐体内部に配置された保守用モニター装置の表示面を後扉の外部から視認できるようにした自動販売機が開示されている。
しかし、特許文献１の自動販売機にあっては、後扉の外部から保守用モニター装置の表示面を目視確認することはできるが、操作スイッチ等を操作するためには後扉を開放する必要があり不便であった。また、保守用モニター装置を内部機器が収容されている筐体内部に配置しているため、他の内部機器を配置する際のレイアウト自由度を制限する原因となっている。特に、内部機器はメンテナンスのために背面開口部から外部に引き出しできるように構成することが多いが、その引出し経路に保守用モニター装置が配置されている場合には、メンテナンスの度に保守用モニター装置を取り外し、メンテナンス後に元に戻す必要があった。また、保守用モニター装置を着脱する度にビスを着脱したり、配線を着脱する作業が必要となるため、極めて煩雑な作業であった。或いは、筐体の背面開口内に配置された保守用モニター装置が内部機器を引き出す際の障害にならないようにその配置箇所を固定的にレイアウトするとすれば、内部機器の形状や配置に制限的な影響を与えることとなる。
【先行技術文献】
【特許文献】
【０００４】
【特許文献１】特開平１０−２２８５６６号公報
【発明の概要】
【発明が解決しようとする課題】
【０００５】
上記のように従来の金銭取扱い装置にあっては、保守用モニター装置が筐体内部に配置されていたため、筐体内のメンテナンス対象機器を背面開口部から引出し自在に構成する際のレイアウト自由度を制限する要因となっていた。また、内部機器を引き出したり戻したりする度に保守用モニター機器を着脱するとすれば、メンテナンスに要する手数、時間を著しく増大させる虞がある。
本発明は上記に鑑みてなされたものであり、筐体本体の背面側から行う内部機器の保守点検作業を、後扉を開放した状態では勿論、後扉を閉止した状態でも外部から実施することができ、しかも保守用モニター装置が内部機器のレイアウト自由度を制限したり、内部機器の引出しの障害となることがない金銭取扱い装置を提供することを目的としている。
【課題を解決するための手段】
【０００６】
上記目的を達成するため、請求項１の発明に係る金銭取扱い装置は、少なくとも背面に開口部を有し、且つ内部機器を収容した筐体本体と、前記背面開口部を開閉する後扉と、前記内部機器の保守点検用の保守用モニター装置と、を備えた金銭取扱い装置であって、前記後扉には、前記保守用モニター装置を、その前面操作表示部を前記後扉の内面と対面させる外向き姿勢と該保守用モニター装置の背面を該後扉の内面と対面させる反転姿勢との間で回動自在に軸支する軸支部と、前記保守用モニター装置の前面操作表示部が外向き姿勢にある時に該前面操作表示部の少なくとも一部を露出させる透明窓部、及び開口部と、を備えていることを特徴とする。
このように後扉の内面に保守用モニター装置を回動自在に軸支し、筐体本体の背面側から行う内部機器の保守点検作業を、後扉を開放した状態では勿論、後扉を閉止した状態でも背面側（外部）から実施することができるようにしたので、保守、点検の作業性を向上することができる。特に、保守用モニター装置を後扉の内面に配置し、筐体内部側に保守用モニター装置を配置しないので、内部機器と干渉しない箇所を選定すれば、保守用モニター装置が内部機器のレイアウト自由度を制限したり、内部機器の引出しの障害となることを防止できる。また、内部機器と干渉しない箇所の選定が容易となる。
【０００７】
請求項２の発明は、前記保守用モニター装置の操作部を操作することにより表示部に任意の前記内部機器の状態表示を行ったり、任意の前記内部機器をメンテナンスモードへ移行させる制御手段と、前記保守用モニター装置が前記外向き姿勢にあることと前記反転姿勢にあることを夫々検知する姿勢検知手段と、を備え、前記制御手段は、前記姿勢検知手段が前記保守用モニター装置が前記外向き姿勢にあることを検知している時に実現可能な操作内容を、前記姿勢検知手段が前記反転姿勢にあることを検知している時に実現可能な操作内容と異なった内容とすることを特徴とする。
請求項３の発明は、前記制御手段は、前記姿勢検知手段が前記保守用モニター装置が前記外向き姿勢にあることを検知している時に実現可能な操作内容を、前記姿勢検知手段が前記反転姿勢にあることを検知している時に実現可能な操作内容に比して制限した内容とすることを特徴とする。
【発明の効果】
【０００８】
以上のように本発明によれば、筐体本体の背面側から行う内部機器の保守点検作業を、後扉を開放した状態では勿論、後扉を閉止した状態でも背面側（外部）から実施することができ、しかも保守用モニター装置が内部機器のレイアウト自由度を制限したり、内部機器の引出しの障害となることを防止できる。
【図面の簡単な説明】
【０００９】
【図１】（ａ）及び（ｂ）は本発明の一実施形態に係る金銭取扱い装置の一例としての自動券売機の構成を示す背面斜視図、及び要部拡大図である。
【図２】（ａ）及び（ｂ）は本発明の金銭取扱い装置の後扉を開放した状態を示す一部断面側面図、及び要部拡大斜視図である。
【図３】（ａ）及び（ｂ）は図２の金銭取扱い装置において、保守用モニター装置を反転させた状態を示す一部断面側面図、及び要部拡大斜視図である。
【図４】後扉を閉止した状態で保守用モニター装置と内部機器とが非干渉状態にあることを示す説明図である。
【図５】本発明の変形実施形態に係る金銭取扱い装置の制御系の構成を示すブロック図である。
【発明を実施するための形態】
【００１０】
以下、本発明を図面に示した実施の形態により詳細に説明する。
図１（ａ）及び（ｂ）は本発明の一実施形態に係る金銭取扱い装置の一例としての自動券売機の構成を示す背面斜視図、及び要部拡大図であり、図２（ａ）及び（ｂ）は本発明の金銭取扱い装置の後扉を開放した状態を示す一部断面側面図、及び要部拡大図であり、図３（ａ）及び（ｂ）は図２の金銭取扱い装置において、保守用モニター装置を反転させた状態を示す一部断面側面図、及び要部拡大図であり、図４は後扉を閉止した状態で保守用モニター装置と内部機器とが非干渉状態にあることを示す説明図である。
【００１１】
本発明に係る金銭取扱い装置の特徴的な構成は、次の通りである。
即ち、金銭取扱い装置１としての自動券売機１は、少なくとも背面に背面開口部４を有し、且つ内部機器３０を収容した筐体本体２と、背面開口部４を開閉する後扉１１と、内部機器３０の保守点検用の保守用モニター装置２０と、を備えており、後扉１１の内面には、保守用モニター装置２０を、前面操作表示部２３を後扉の内面１１ｉと対面させる外向き姿勢と保守用モニター装置の背面を後扉の内面１１ｉと対面させる反転姿勢との間で回動自在に軸支する軸支部１２と、保守用モニター装置２０の前面操作表示部が外向き姿勢にある時に前面操作表示部の少なくとも一部を露出させる開口部と、を備えている。
【００１２】
次に本発明の自動券売機の構成を実施形態に即して更に詳しく説明する。
自動券売機１は、前面と背面に開口部３、４を夫々有した筐体本体２と、前面開口部３及び前記背面開口部４の各一側縁に夫々設けたヒンジ部３ａ、４ａによって開閉自在に軸支された前扉１０及び後扉１１と、後扉１１の内面１１ｉに設けた軸支部（ヒンジ部）１２により水平方向へ回動自在に一側端縁を軸支された保守用モニター装置２０と、保守用モニター装置２０を外向き姿勢と反転姿勢に夫々固定するロック手段１５、１８と、筐体本体内に配置された複数の内部機器３０と、を備えている。
前扉１０の前面には図示しないタッチパネル式のディスプレイ、硬貨投入口、紙幣挿入口、及び発券口等が設けられている。
後扉１１には、後述する保守用モニター装置２０の前面操作表示部２３と対面する部位に、透明窓部１１ａ、スイッチ露出穴１１ｂ、受光部露出穴１１ｃ、及びスピーカ用穴１１ｄが形成されている。
内部機器３０は、例えば硬貨投入口から投入された硬貨を受け入れて真贋、金種を識別してから金種別の金庫に収容する硬貨取扱装置、紙幣挿入口から挿入された紙幣を受け入れて真贋、金種を識別してから金種別の金庫に収容する硬貨取扱装置、券を印刷して発行するプリンタ、制御装置等々から構成されている。
【００１３】
保守用モニター装置２０は、薄型矩形の筐体２１を備え、その前面操作表示部２３には、例えば管理者がメンテナンス時に利用する内部機器類に関する各種情報（例えば、釣銭切れや紙詰まり等のエラーに関するアラート情報、金銭の集計に関する情報等）の表示部２３ａ、始業時に行う稼動状態確認試験等の為の操作部（操作スイッチ）２３ｂ、リモコンを用いた信号入力のための受光部２３ｃ、警報等を発するスピーカ部２３ｄ等が設けられている。筐体２１の上部にはケーブル２２が接続されており、ケーブル２２は筐体２１が軸支部１２を中心として回動しても絡まる等の不具合がない。
軸支部１２は後扉１１の内面１１ｉに固定したブラケット１３によって保守用モニター装置２０の一側端縁を水平方向へ回動自在に軸支しており、保守用モニター装置２０は図２に示したように前面操作表示部２３を後扉の内面１１ｉと対面させる外向き姿勢と、図３に示したように保守用モニター装置の背面２８を後扉の内面１１ｉと対面させる反転姿勢との間で回動自在に軸支される。
保守用モニター装置２０が図２に示した外向き姿勢にある時には、前面操作表示部上の表示部２３ａ、操作部（操作スイッチ）２３ｂ、受光部２３ｃ、及びスピーカ部２３ｄは、夫々透明窓部１１ａ、スイッチ露出穴（開口部）１１ｂ、受光部露出穴（開口部）１１ｃ、及びスピーカ用穴（開口部）１１ｄと対応した位置関係となるように構成されている。
【００１４】
ロック手段１５は、図２に示したように保守用モニター装置２０が外向き姿勢にある時にその姿勢のまま保守用モニター装置を後扉の内面１１ｉに保持するための手段であり、後扉の外面側からスイッチ露出穴１１ｂを介してスイッチ２３ｂを押圧した場合にロックが解除されて保守用モニター装置が後扉内面１１ｉから離脱することがないような構成とする。
具体的には、図２（ｂ）、図３（ｂ）に示したように、ロック手段１５は、後扉内面１１ｉ側に設けた固定係止片１６と、保守用モニター装置２０側に設けられて固定係止片１６に対して着脱する可動係止片１７と、から構成する。固定係止片１６は板材をＬ字状に屈曲させた構成を備え、後扉内面１１ｉと平行に延びる係止片１６ａを備える。一方、可動係止片１７は矢印Ａ、Ｂで示す方向へ進退自在に支持されると共に図示しないバネによって矢印Ａで示す係止方向（突出方向）へ弾性付勢されており、先端部１７ａを固定係止片の係止片１６ａに対して着脱自在に係合可能に構成されている。可動係止片１７の先端部１７ａが図２（ｂ）のように係止穴１６ｂと係合している時に、操作突起１７ｂを指でバネに抗してＢ方向へ移動させることにより、係止片１６ａから離脱させることができ、保守用モニター装置を軸支部１２を中心として回動させることが可能となる。
【００１５】
保守用モニター装置２０が外向き姿勢となるように後扉内面１１ｉに押し付けたときに係止片１６ａと係合した可動係止片１７がバネに抗して一旦Ｂ方向へ退避して係止片１６ａを通過してから再びＡ方向へ突出して係止片と係合するため、保守用モニター装置は外向き姿勢に保持され、後扉の外側からスイッチを操作したとしてもロック手段１５が外れることはない。
外向き姿勢にある保守用モニター装置を図３に示した反転姿勢に移行させたい場合には、操作突起１７ａをＡ方向へスライドさせて係止片１６ａから離脱させて、保守用モニターを回動させればよい。
他方のロック手段１８は永久磁石であり、鉄等の磁性体から成る保守用モニター装置の筐体部分を吸着できるように構成する。これにより、保守用モニター装置を反転姿勢に維持することができる。反転姿勢から外向き姿勢に移行させる場合には、永久磁石による吸着力に抗して保守用モニター装置を引き剥がせばよい。
【００１６】
以上の構成を備えた保守用モニター装置２０の筐体２１は薄型であり、図２に示した外向き姿勢において後扉の内面に密着しているためその突出長が極限されており、図４に示すように後扉１１を閉止した時に対面する内部機器３０と干渉する虞れが少なくなる。また、筐体２１の正面、背面の面積が狭いため、内部機器間の僅かなスペースを利用してレイアウトすることができる。
或いは、特定の内部機器３０の背面が背面開口部４側に接近しているために保守用モニター装置２０を後扉内面に配置できない場合には、背面の位置が前方に引っ込んでいる内部機器の背面側に相当する後扉内面に保守用モニター装置を配置すればよい。
【００１７】
この自動券売機１の前面側を顧客が利用できるように建造物の外部に露出させる一方で、背面側を建造物の内部に位置させる場合には建造物内部から後扉を閉止した状態で、外向き状態にある前面操作表示部の表示部２３ａ上の表示を確認したり、操作部２３ｂを操作したり、リモコンによって受光部２３ｃに信号を送信することができる。一方、後扉を開放した状態では、保守用モニター装置２０を反転状態にしてから表示部２３ａ上の表示を確認したり、操作部２３ｂを操作したり、リモコンによって受光部２３ｃに信号を送信することができる。この場合には、保守用モニター装置２０の表示内容の確認、操作と併せて、内部機器３０に対して必要なメンテナンスを実施することができる。
建造物内のスペースが、後扉を開閉するスペースが確保できる程度に狭い場合には、後扉を開閉しない状態でのメンテナンス情報の確認、操作ができることは極めて有利である。また、後扉を開放した状態でのメンテナンス作業においても、保守用モニター装置を取り外して他の場所に移動したり、メンテナンス後に元の位置に取り付ける作業が不要となるため、便利である。
【００１８】
このように本発明では、後扉の内面に保守用モニター装置を回動自在に軸支し、筐体本体の背面側から行う内部機器の保守点検作業を、後扉を開放した状態では勿論、後扉を閉止した状態でも背面側（外部）から実施することができるようにしたので、保守、点検の作業性を向上することができる。特に、保守用モニター装置を後扉の内面に配置し、筐体内部側に保守用モニター装置を配置しないので、内部機器と干渉しない箇所を選定すれば、保守用モニター装置が内部機器のレイアウト自由度を制限したり、内部機器の引出しの障害となることを防止できる。また、内部機器と干渉しない箇所の選定が容易となる。
【００１９】
次に、図５は本発明の変形実施形態に係る金銭取扱い装置の制御系の構成を示すブロック図である。
この実施形態に係る金銭取扱い装置（自動券売機）１では、後扉１１が閉止した状態でスイッチ露出穴１１ｂから露出したスイッチ（操作部）２３ｂを操作することによって実現可能な操作内容と、後扉を開放して保守用モニター装置２０を反転姿勢にした状態でスイッチ２３ｂを操作することによって実現可能な操作内容とを異ならせている。換言すれば、図１、図２に示したように保守用モニター装置が外向き姿勢にある時にスイッチを操作することにより実現できる操作内容を、保守用モニター装置が図３に示した反転姿勢にある時に実現可能な操作内容よりも制限した内容としている。
具体的には、図１、図２に示したように後扉１１が閉止され且つ保守用モニター装置２０が外向き姿勢にあるときには、管理者以外の誰でもがスイッチ２３ｂを操作可能な状態にあるため、例えば内部機器３０を点検するために必要な情報（例えば、釣銭の残量情報）を表示部２３ａに表示させるための操作のみを可能とする。換言すれば、この状態で内部機器３０、例えば硬貨取扱装置を硬貨補充モードへ移行させることはできないように制御する。
【００２０】
また、図３に示したように後扉１１が開放され且つ保守用モニター装置２０が反転姿勢にあるときには、管理者のみがスイッチ２３ｂを操作可能な状態にあるため、スイッチを操作することによって全ての操作内容を実現可能とする。従って、この状態で内部機器、例えば硬貨取扱装置を硬貨補充モードへ移行させることが可能となる。
このような機能を実現するため、図５に示した如き制御系を用いることができる。
即ち、この制御系は、保守用モニター装置２０の操作部２３ｂを操作することにより表示部２３ａに任意の内部機器３０の状態表示を行ったり、任意の内部機器をメンテナンスモードへ移行させる制御手段５０と、保守用モニター装置が外向き姿勢にあることと反転姿勢にあることを夫々検知する姿勢検知手段（光センサ、リミットスイッチ等）５１と、を備えている。
【００２１】
制御手段５０は、姿勢検知手段５１が保守用モニター装置が外向き姿勢にあることを検知している時に実現可能な操作内容を、姿勢検知手段が反転姿勢にあることを検知している時に実現可能な操作内容に比して制限した内容とする。
なお、後扉１１の開閉状況と、保守用モニター装置の姿勢とを勘案した上で、操作内容を制限したり、制限を解除するように制御することも可能である。
この場合、図５に示したように後扉１１の開放状態と閉止状態とを夫々検知する後扉検知手段（フォトセンサ、リミットスイッチ等）５２を設ける。そして、制御手段５０は、後扉が開放状態であることが検知され、且つ姿勢検知手段が保守用モニター装置が反転姿勢にあることを検知している時にのみ、保守用モニター装置の操作内容の制限を解除する。
【符号の説明】
【００２２】
１…自動券売機、２…筐体本体、３…前面開口部、３ａ…ヒンジ部、４…背面開口部、１０…前扉、１１…後扉、１１ａ…透明窓部、１１ｂ…スイッチ露出穴（開口部）、１１ｃ…受光部露出穴、１１ｄ…スピーカ用穴、１１ｉ…後扉内面、１２…軸支部、１３…ブラケット、１５…ロック手段、１６…固定係止片、１６ａ…係止片、１６ｂ…係止穴、１７…可動係止片、１７ａ…先端部、１７ｂ…操作突起、１８…ロック手段、２０…保守用モニター装置、２１…筐体、２２…ケーブル、２３…前面操作表示部、２３ａ…表示部、２３ｂ…スイッチ（操作部）、２３ｃ…受光部、２３ｄ…スピーカ部、２８…背面、３０…内部機器、５０…制御手段、５１…姿勢検知手段、５２…後扉検知手段
【図１】
2012208800.tif 000003
【図２】
2012208800.tif 000004
【図３】
2012208800.tif 000005
【図４】
2012208800.tif 000006
【図５】
2012208800.tif 000007